(57)【要約】【課題】所望の配光を得られる照明装置を提供する。【解決手段】この照明装置１Ｂは、光源２１Ｂと、光源２１Ｂの近傍に配置される後端部から前端部の開口２３０Ｂへ向かうにつれて拡径するドーム状の内周面２３Ｂを有する反射板と、少なくとも一部が光源２１Ｂの前側に配置される光学部材２２Ｂとを有する。光学部材２２Ｂは、前側へ向かうにつれて縮径する筒部２２１Ｂと、筒部２２１Ｂの前側を覆うレンズ部２２２Ｂとを有する。筒部２１２Ｂの内周面とレンズ部の後面との境界部である内側接続部４２Ｂは、光源の光軸９Ｂを通る断面において、光源２１Ｂの径方向一方側端部および開口２３０Ｂの径方向他方側端部を結ぶ第１直線Ｌ１１Ｂ，Ｌ１２Ｂ上、または、第１直線Ｌ１１Ｂ，Ｌ１２Ｂの近傍であって第１直線Ｌ１１Ｂ，Ｌ１２Ｂよりも径方向外側に配置される。【選択図】図９
2019016569.tif 000002
【特許請求の範囲】
【請求項１】
光源と、
前記光源の近傍に配置される後端部から前端部の開口へ向かうにつれて拡径するドーム状の内周面を有する反射板と、
少なくとも一部が前記光源の前側に配置され、かつ、少なくとも一部が前記反射板の内側に配置される光学部材と、
を有し、
前記光学部材は、
前側へ向かうにつれて縮径する筒部と、
前記筒部の前側を覆うレンズ部と、
を有し、
前記筒部の内周面と前記レンズ部の後面との境界部である内側接続部は、前記光源の光軸を通る断面において、前記光源の発光領域の径方向一方側端部および前記開口の径方向他方側端部を結ぶ第１直線上、または、前記第１直線の近傍であって前記第１直線よりも径方向外側に配置される、照明装置。
【請求項２】
請求項１に記載の照明装置であって、
前記反射板の前側に配置される円筒状のバッフル
をさらに有し、
前記内側接続部は、前記光軸を通る断面において、前記光源の発光領域の径方向他方側端部および前記バッフルの前側かつ径方向他方側端部を結ぶ第２直線と前記第１直線との交点上、または、前記交点の近傍であって前記交点よりも径方向外側に配置される、照明装置。
【請求項３】
請求項１または請求項２に記載の照明装置であって、
前記反射板の設計配光角度は、６°以上１８°以下である、照明装置。
【請求項４】
光源と、
前記光源の近傍に配置される後端部から前端部の開口へ向かって拡径するドーム状の内周面を有する反射板と、
前記反射板の前側に配置される円筒状のバッフルと、
少なくとも一部が前記光源の前側に配置され、かつ、少なくとも一部が前記反射板の径方向内側に配置される光学部材と、
前記光学部材は、
前側へ向かうにつれて縮径する筒部と、
前記筒部の前側を覆うレンズ部と、
を有し、
前記筒部の外周面と前記レンズ部の前面との境界部である外側接続部は、前記光源の光軸を通る断面において、前記光源の発光領域の径方向一方側端部および前記開口の径方向他方側端部を結ぶ第１直線と、前記光源の発光領域の径方向他方側端部および前記バッフルの前側かつ径方向他方側端部を結ぶ第２直線との交点上、または、前記交点の近傍であって前記交点よりも径方向外側に配置される、照明装置。
【請求項５】
請求項４に記載の照明装置であって、
前記反射板の設計配光角度は、２５°以上５０°以下である、照明装置。
【請求項６】
光源と、
前記光源の近傍に配置される後端部から前端部の開口へ向かって拡径するドーム状の内周面を有する反射板と、
前記反射板の前側に配置される円筒状のバッフルと、
少なくとも一部が前記光源の前側に配置され、かつ、少なくとも一部が前記反射板の径方向内側に配置される光学部材と、
前記光学部材は、
前側へ向かうにつれて縮径する筒部と、
前記筒部の前側を覆うレンズ部と、
を有し、
前記筒部の内周面は、
前記筒部の中心軸に対する角度が第１角度である第１内周面と、
前記筒部の内周面と前記レンズ部の後面の境界部である内側接続部と前記第１内周面との間に配置され、前記中心軸に対する角度が前記第１角度よりも大きい第２角度である第２内周面と、
を含む、照明装置。
【請求項７】
請求項６に記載の照明装置であって、
前記第２角度は、１０°以上２０°以下である、照明装置。
【請求項８】
光源と、
前記光源の近傍に配置される後端部から前端部の開口へ向かって拡径するドーム状の内周面を有する反射板と、
少なくとも一部が前記光源の前側に配置され、かつ、少なくとも一部が前記反射板の径方向内側に配置される光学部材と、
前記光学部材は、
前側へ向かうにつれて縮径する筒部と、
前記筒部の前側を覆うレンズ部と、
内縁部が前記筒部の後端部と繋がり、前記光源の前側において前記光源の光軸に対して略垂直に配置される板状かつ環状の板部と、
を有し、
前記筒部の内周面と前記板部の後面との境界部である後側接続部は、前記光軸を通る断面において、曲線状である、照明装置。
【請求項９】
請求項８に記載の照明装置であって、
前記後側接続部の前記光軸を通る断面における曲率半径は、１.５ｍｍ以上２ｍｍ以下である、照明装置。
【発明の詳細な説明】
【技術分野】
【０００１】
本発明は、照明装置に関する。
【背景技術】
【０００２】
従来、光学部材および反射板を有する照明装置が知られている。光源から出射される光は、その一部が光学部材を介して直接照明光となり、他の一部が光学部材を介して反射板へと入射され、反射板において反射されて照明光となる。従来の光学部材および反射板を有する照明装置は、例えば、特許文献１に示されている。
【先行技術文献】
【特許文献】
【０００３】
【特許文献１】特表２０１４−５２９１７４号公報
【発明の概要】
【発明が解決しようとする課題】
【０００４】
照明装置では、配光角度や、軸光度、中心照度および照度分布等の配光によって照明効果が異なる。このため、照明装置の配光角度や配光をコントロールすることが求められる。
【０００５】
反射板を用いれば、光源から反射板に入射する光を、所望の方向へと反射できる。また、光学部材を用いれば、光源から出射した光を、反射板や照射方向へと適切に屈折できる。しかしながら、光学部材と反射板との組み合わせによっては、望まない向きに照射される光が現れる場合がある。
【０００６】
本発明は、このような事情に鑑みなされたものであり、所望の配光を得られる照明装置を提供することを目的とする。
【課題を解決するための手段】
【０００７】
上記課題を解決するため、本願の発明は、光源と、前記光源の近傍に配置される後端部から前端部の開口へ向かうにつれて拡径するドーム状の内周面を有する反射板と、少なくとも一部が前記光源の前側に配置され、かつ、少なくとも一部が前記反射板の内側に配置される光学部材と、を有し、前記光学部材は、前側へ向かうにつれて縮径する筒部と、前記筒部の前側を覆うレンズ部と、を有し、前記筒部の内周面と前記レンズ部の後面との境界部である内側接続部は、前記光源の光軸を通る断面において、前記光源の発光領域の径方向一方側端部および前記開口の径方向他方側端部を結ぶ第１直線上、または、前記第１直線の近傍であって前記第１直線よりも径方向外側に配置される、照明装置である。
【発明の効果】
【０００８】
本願の発明によれば、所望の配光を得られる照明装置が得られる。
【図面の簡単な説明】
【０００９】
【図１】照明装置の一例の側面図である。
【図２】照明装置の一例の断面図である。
【図３】第１実施形態に係る照明装置の照明部の断面図である。
【図４】第１実施形態に係る光学部材の部分断面図である。
【図５】比較例に係る照明部の光路の一例を示した図である。
【図６】第１実施形態に係る照明部の光路の一例を示した図である。
【図７】比較例に係る照明部の光路の一例を示した図である。
【図８】第１実施形態に係る照明部の光路の一例を示した図である。
【図９】第２実施形態に係る照明装置の照明部の断面図である。
【発明を実施するための形態】
【００１０】
以下、本発明の好適な実施形態について、図面を参照しつつ説明する。
【００１１】
＜１．照明装置の構成＞
まず、本発明に係る照明装置の全体の構成について、照明装置１を例に、図１および図２を参照しつつ説明する。また、本発明に係る照明装置１の照明部１０の詳細な構成については、後述する第１実施形態ないし第３実施形態において説明する。
【００１２】
図１は、本発明の照明装置の一例である照明装置１の側面図である。図２は、照明装置１の照明部１０の断面図である。この照明装置１は、特定の方向に向かって光を照射する、いわゆるスポットライトである。この照明装置１は、一例として、天井に配されたダクトレールに取り付けて固定される。
【００１３】
図１に示すように、照明装置１は、照明光を照射する照明部１０と、照明部１０の熱を発散するヒートシンク１１と、天井に対して固定される固定部１２と、固定部１２に対して照明部１０およびヒートシンク１１を回動可能に支持するアーム部１３とを有する。
【００１４】
図１および図２に示すように、照明部１０は、光源２１と、光学部材２２と、反射板２３と、バッフル２４とを有する。本実施形態では、照明部１０を構成する各部は、円環状の反射板２３の中心軸９を中心として配置される。
【００１５】
光源２１は、ＣＯＢ（Chip on Board）タイプのＬＥＤ光源である。ここで、光源２１の光軸は、中心軸９に沿って配置される。以下では、中心軸９に沿う方向であって、光源２１が光を出射する方向を「前方」または「前側」と称し、前方とは逆の方向を「後方」または「後側」と称する。また、中心軸９を中心とする円周に沿う方向を「周方向」と称し、中心軸９に直交する方向を「径方向」と称する。ＣＯＢの発光領域は、例えば直径６ｍｍから３３ｍｍの円形である。
【００１６】
光源２１の前面は、光源２１の発光面となっている。光源２１の発光面の裏面側、すなわち、光源２１の後面側には、放熱部であるヒートシンク１１が配置される。ヒートシンク１１は、光源２１の裏面に沿って配置される光源配置部１１１と、光源配置部１１１に対して略垂直に配置される複数の放熱フィン１１２を有する。光源配置部１１１の前面には、光源２１が固定される。これにより、光源２１において発生し、光源配置部１１１を介して伝わった熱が放熱フィン１１２を介して空気中に放散される。
【００１７】
光学部材２２は、少なくとも一部が光源２１の前側に配置される、透光性部材である。また、光学部材２２は、少なくとも一部が反射板２３の径方向内側に配置される。光学部材２２は、筒部２２１と、レンズ部２２２と、円環部２２３と、ベース部２２４とを有する。
【００１８】
筒部２２１は、その外面が前側に向かうにつれて縮径する円錐面状あるいは円錐面よりやや裾広がりの形状である筒状の部位である。筒部２２１は、光源２１の前側に配置される。レンズ部２２２は、筒部２２１の前側を覆う。円環部２２３は、光源２１の前側において、中心軸９に対して略垂直に配置される板状かつ環状の板部である。円環部２２３の内縁部は、筒部２２１の後端部と繋がる。ベース部２２４は、光源の発光領域の径方向外側を覆う円筒状の部位である。ベース部２２４の前端部は、円環部２２３の外縁部と繋がる。
【００１９】
反射板２３は、中心軸９を中心とし、前端部が開口した円環状の部材である。ここで、反射板２３の前側の開口を反射板開口２３０と称する。反射板２３は、光源２１の近傍に配置される後端部から前端部の反射板開口２３０へ向かうにつれて拡径するドーム状の内周面３０を有する。内周面３０は、前側へ向かうにつれて曲率が小さくなる基準曲面に沿って配置される。基準曲面は、中心軸９を中心とした曲線を回転した回転体の曲面上に配置される。
【００２０】
内周面３０のほぼ全体には、基準曲面を前後方向および周方向に分割した複数の小領域のそれぞれに、ファセットリフレクタ３０１が設けられている。ファセットリフレクタ３０１は、例えば、周方向において、６°ごとに６０個設けられている。各ファセットリフレクタ３０１は平面状である。なお、内周面３０は、ファセットリフレクタ３０１を有していなくてもよい。また、各ファセットリフレクタ３０１は、径方向内側へ突出する曲面状であってもよい。
【００２１】
この照明装置１では、光源２１が反射板２３の後端部よりも後側に配置される。また、光学部材２２の筒部２２１の大部分と、レンズ部２２２とは、反射板２３の径方向内側に収容される。
【００２２】
バッフル２４は、反射板２３の前側に配置されるほぼ円筒状の部材である。バッフル２４の内周面には、内周面が光って見えないようにするため、前後方向に間隔を空けて配置される複数の段が設けられている。バッフル２４の段が設けられた内周面の後端部は、反射板開口２３０と近接して配置される。ここで、バッフル２４の前側の開口をバッフル開口２４０と称する。
【００２３】
バッフル２４を反射板２３の前側に配置するため、バッフル２４は、支持部材２５を介してヒートシンク１１に固定される。図２の例では、支持部材２５とヒートシンク１１とは、ねじ止めにて固定される。また、支持部材２５とバッフル２４とは、互いの有するねじ溝を噛み合わせて固定される。なお、支持部材２５およびヒートシンク１１と、支持部材２５およびバッフル２４とは、その他の固定方法によって互いに固定されてもよい。
【００２４】
光源２１に、照明装置１外の別途の電源装置（図示せず）から駆動電流が供給されると、光源２１から前側へ向かい、かつ、中心軸９を中心とする光が出射される。そして、光源２１から出射された光は、光学部材２２を通って、反射板２３、バッフル２４およびバッフル開口２４０へと向かう。光源２１から出射された光の具体的な進行方向については、後述する各実施形態において詳述する。
【００２５】
＜２．第１実施形態＞
次に、第１実施形態に係る照明装置の照明部１０Ａの構造について、説明する。図３は、第１実施形態に係る照明装置の照明部１０Ａの断面図である。なお、図３では、反射板２３Ａの内周面３０Ａに設けられたファセットリフレクタの図示が省略されている。図３に示すように、照明部１０Ａは、光源２１Ａと、光学部材２２Ｂと、反射板２３Ａと、バッフル２４Ａとを有する。照明部１０Ａの各部２１Ａ〜２４Ａの基本的な構成は、前述の照明部１０の各部２１〜２４と同様である。ここでは、照明部１０Ａの特徴部分について、図３を参照しつつ説明する。
【００２６】
図３に示すように、中心軸９Ａを含む断面において、光源２１Ａの発光領域の径方向一方側端部２１１Ａおよび反射板開口２３０Ａの径方向他方側２３２Ａを結ぶ直線を第１直線Ｌ１１Ａ、光源２１Ａの発光領域の径方向他方側端部２１２Ａおよび反射板開口２３０Ａの径方向一方側端部２３１Ａを結ぶ直線を第１直線Ｌ１２Ａと称する。また、光源２１Ａの径方向一方側端部２１１Ａおよびバッフル開口２４０Ａの径方向一方側端部２４１Ａを結ぶ直線を第２直線Ｌ２１Ａ、光源２１Ａの径方向他方側端部２１２Ａおよびバッフル開口２４０Ａの径方向他方側端部２４２Ａを結ぶ直線を第２直線Ｌ２２Ａと称する。また、第１直線Ｌ１１Ａおよび第２直線Ｌ２２Ａの交点を交点Ｃ１Ａ、第１直線Ｌ１２Ａおよび第２直線Ｌ２１Ａの交点を交点Ｃ２Ａと称する。
【００２７】
光源２１Ａから出射され、筒部２２１Ａを通った光は、反射板２３Ａおよびバッフル２４Ａへと向かう。光学部材２２Ａにおいて、筒部２２１Ａの外周面とレンズ部２２２Ａの前面との境界部である外側接続部４１Ａ（図４参照）は、中心軸９Ａを通る断面において、第１直線Ｌ１１Ａ，Ｌ１２Ａ上に配置される。これにより、光源２１Ａから出射され、筒部２２１Ａを通った光のうち、反射板２３Ａへと向かう光の割合を向上できる。これにより、照明効率を向上できるとともに、所望の配光性能に近づけることができる。
【００２８】
外側接続部４１Ａが第１直線Ｌ１１Ａ，Ｌ１２Ａの径方向内側に配置された場合、外側接続部４１Ａが第１直線Ｌ１１Ａ，Ｌ１２Ａ上に配置される場合と比べて、光源２１Ａから出射されて筒部２２１Ａを通った光のうち、バッフル２４Ａへと向かう光の割合が増える。その場合、照明効率および配光性能が低下する。そこで、外側接続部４１Ａは、第１直線Ｌ１１Ａ，Ｌ１２Ａの近傍であって、第１直線Ｌ１１Ａ，Ｌ１２Ａの径方向外側に配置されてもよい。その場合、製造上の寸法誤差があった場合であっても、照明効率および配光性能が低下するのを抑制できる。
【００２９】
また、外側接続部４１Ａは、中心軸９Ａを通る断面において、交点Ｃ１Ａ，Ｃ２Ａ上に配置される。これにより、光源２１Ａから出射されて筒部２２１Ａを通過した光が、反射板２３Ａおよびバッフル２４Ａの内周面のいずれかに当たり、バッフル開口２４０Ａには向かわない。これにより、光源２１Ａから出射され、筒部２２１Ａを通過した光が、直接照明装置外へと照射されるのが抑制される。すなわち、グレアレスな照明装置とできる。
【００３０】
仮に外側接続部４１Ａが交点Ｃ１Ａ，Ｃ２Ａの径方向内側に配置された場合、光源２１Ａから出射されて筒部２２１Ｂを通過した光の一部が、反射板２３Ａおよびバッフル２４Ａに当たることなく、直接照明装置外へと照射される。そこで、外側接続部４１Ａは、交点Ｃ１Ａ，Ｃ２Ａの近傍であって、交点Ｃ１Ａ，Ｃ２Ａの径方向外側に配置されてもよい。その場合、製造上の寸法誤差があった場合であっても、光源２１Ａから出射され、筒部２２１Ａを通過した光が、直接照明装置外へと照射されるのが抑制される。
【００３１】
反射板２３Ａの設計配光角度は、２５°以上５０°以下である。このように、反射板２３Ａの配光角度が広角などの比較的大きい配光角度である場合、配光角度が狭角や中角の照明部と比べて、レンズ部２２２Ａを光源２１Ａに近づけることが好ましい。この場合に、外側接続部４１Ａの位置を上述の様に配置することにより、照明効率および配光性能を低下するのを抑制しつつ、比較的大きい配光角度を実現できる。すなわち、反射板２３Ａの配光角度が広角などの比較的大きい配光角度である場合、外側接続部４１Ａの位置を上記のように設定することは、特に有用である。
【００３２】
図４は、光学部材２２Ａの部分断面図である。図４に示すように、光学部材２２Ａの筒部２２１Ａの内周面である筒部内周面５０Ａは、第１内周面５１Ａと、第２内周面５２Ａとを有する。第１内周面５１Ａは、筒部２２１Ａの中心軸、すなわち中心軸９に対する角度が第１角度θ１である。第２内周面５２Ａは、筒部内周面５０Ａとレンズ部２２２Ａの後面との境界部である内側接続部４２Ａと、第１内周面５１Ａとの間に配置される。第２内周面５２Ａは、中心軸９Ａに対する角度が、第１角度θ１よりも大きい第２角度θ２である。このように、筒部２２１Ａの筒部内周面５０Ａは、テーパ部である第２内周面５２Ａを有する。なお、第１内周面５１Ａと第２内周面５２Ａの間、あるいは内側接続部４２Ａ周辺は、徐々に角度が変わるような曲面形状としてもよい。
【００３３】
図５は、筒部２２１Ｃの内周面である筒部内周面５０Ｃがテーパ部を有していない照明部１０Ｃにおける光路の一例（光路ＬＣ）を示した図である。図６は、筒部２２１Ａの筒部内周面５０Ａがテーパ部である第２内周面５２Ａを有する第１実施形態の照明部１０Ａにおける光路の一例（光路ＬＡ１，ＬＡ２）を示した図である。
【００３４】
図５に示すように、仮に筒部２２１Ｃの筒部内周面５０Ｃがテーパ部を有していない場合、筒部２２１Ｃとレンズ部２２２Ｃとが接続する部分近傍において、光路ＬＣのように、筒部２２１Ｃの内周面に入射するが筒部２２１Ｃの外周面でなくレンズ部２２２Ｃの表面から出射する光が生じ得る。このような光は、設計された配光制御がなされないので、照射面においてリング状輪郭といった意図しない光として現れてしまう。この場合、配光性能が低下するという問題が生じる。
【００３５】
一方、図６に示すように、照明部１０Ａは、筒部２２１Ａの筒部内周面５０Ａがテーパ部である第２内周面５２Ａを有している。テーパ部における第２角度θ２は、筒部２２１Ａとレンズ部２２２Ａとが接続する部分近傍に入射する光を反射板２３Ａまたはレンズ部２２２Ａのいずれかに導く角度に規定されている。このため、光源２１Ａから出射して筒部２２１Ａとレンズ部２２２Ａとが接続する部分近傍に入射する光は、レンズ部２２２Ａまたは反射板２３Ａのいずれかにより配光制御されるので、照射面においてリング状輪郭のような意図しない光として現れない。
【００３６】
図６に、上述のように制御された光の一例（光路ＬＡ１，ＬＡ２）を示している。光路ＬＡ１は、光源２１Ａから出射された光（光ＬＡ１ａ）が第２内周面５２に入射して屈折し（光ＬＡ１ｂ）、筒部２２１Ａの表面から出射し（光ＬＡ１ｃ）、反射板２３Ａで反射されて（光ＬＡ１ｄ）、照射面に向かう光路を示している。また、光路ＬＡ２は、光源２１Ａから出射された光（光ＬＡ２ａ）が第２内周面５２に入射して屈折し（光ＬＡ２ｂ）、レンズ部２２２Ａの表面から出射して（光ＬＡ２ｃ）、照射面に向かう光路を示している。以上のように、照明部１０Ａでは、配光性能が低下するのを抑制できる。
【００３７】
この光学部材２２Ａでは、第１角度は、１８°であり、第２角度は１５°である。第２角度は、１０°以上２０°以下であることが好ましい。この場合、特に、光源２１Ａから第２内周面５２Ａへ入射した光が十分に配光制御されるため、配光性能が低下するのを抑制できる。
【００３８】
また、図４に示すように、筒部２２１Ａの筒部内周面５０Ａと円環部２２３Ａの後面との境界部である後側接続部４３Ａは、中心軸９を通る断面において、曲線状である。
【００３９】
図７は、後側接続部４３Ｄの断面形状が曲線状でなく、角張った形状である照明部１０Ｄにおける光路の一例（光路ＬＤ）を示した図である。図８は、後側接続部４３Ａの断面形状が曲線状である第１実施形態の照明部１０Ａにおける光路の一例（光路ＬＡ３）を示した図である。
【００４０】
図７に示すように、後側接続部４３Ｄの断面形状が角張った形状である場合、光源２１Ｄから後側接続部４３Ｄ付近へと入射する光は、光路ＬＤのように、後方へと反射しやすい。したがって、照明効率が低減する。
【００４１】
一方、図８に示すように、後側接続部４３Ａの断面形状が曲線状である場合、光路ＬＡ３のように、光源２１Ａから後側接続部４３Ａ付近へと入射する光のうち、反射せずに光学部材２２Ａ内で屈折し、反射板２３Ａへと向かう光の割合が増加する。したがって、照明効率が向上する。
【００４２】
このとき、後側接続部４３Ａの曲率半径が小さ過ぎると、図７の例のように反射が生じてしまう。一方、後側接続部４３Ａの曲率半径が大き過ぎると、後側接続部４３Ａ付近へと入射した光が、反射板２３Ａよりも前方へと向かってしまう。そこで、中心軸９を通る断面において、後側接続部４３Ａの曲率半径は、１．５ｍｍ以上２ｍｍ以下であることが好ましい。なお、後側接続部４３Ａの曲率半径は、例えば約１．８ｍｍとすればよい。
【００４３】
＜３．第２実施形態＞
続いて、第２実施形態に係る照明装置の照明部１０Ｂの構造について、説明する。図９は、第２実施形態に係る照明装置の照明部１０Ｂの断面図である。なお、図９では、反射板２３Ｂの内周面３０Ｂに設けられたファセットリフレクタの図示が省略されている。図９に示すように、照明部１０Ｂは、光源２１Ｂと、光学部材２２Ｂと、反射板２３Ｂと、バッフル２４Ｂとを有する。照明部１０Ｂの各部２１Ｂ〜２４Ｂの基本的な構成は、前述の照明部１０の各部２１〜２４と同様である。ここでは、照明部１０Ｂの特徴部分について、図９を参照しつつ説明する。
【００４４】
図９に示すように、中心軸９Ｂを含む断面において、光源２１Ｂの発光領域の径方向一方側端部２１１Ｂおよび反射板開口２３０Ｂの径方向他方側端部２３２Ｂを結ぶ直線を第１直線Ｌ１１Ｂ、光源２１Ｂの発光領域の径方向他方側端部２１２Ｂおよび反射板開口２３０Ｂの径方向一方側端部２３１Ｂを結ぶ直線を第１直線Ｌ１２Ｂと称する。また、光源２１Ｂの発光領域の径方向一方側端部２１１Ｂおよびバッフル開口２４０Ｂの径方向一方側端部２４１Ｂを結ぶ直線を第２直線Ｌ２１Ｂ、光源２１Ｂの発光領域の径方向他方側端部２１２Ｂおよびバッフル開口２４０Ｂの径方向他方側端部２４２Ｂを結ぶ直線を第２直線Ｌ２２Ｂと称する。また、第１直線Ｌ１１Ｂおよび第２直線Ｌ２２Ｂの交点を交点Ｃ１Ｂ、第１直線Ｌ１２Ｂおよび第２直線Ｌ２１Ｂの交点を交点Ｃ２Ｂと称する。
【００４５】
光学部材２２Ｂにおいて、筒部２２１Ｂの内周面とレンズ部２２２Ｂの後面との境界部である内側接続部４２Ｂは、中心軸９Ｂを通る断面において、第１直線Ｌ１１Ｂ，Ｌ１２Ｂ上に配置される。これにより、光源２１Ｂから反射板２３Ｂの内周面３０Ｂへ向かって出射される光が、レンズ部２２２Ｂではなく、筒部２２１Ｂに当たる。すなわち、光源２１Ｂから出射した光のうち、反射板２３Ｂへ向かう光の割合を増加できる。レンズ部２２２Ｂと比べて、反射板２３Ｂの方が光源２１Ｂからの光を真芯に集光できるため、配光をより中心に集めることができる。すなわち、軸光度を向上できる。
【００４６】
また、これにより、光源２１Ｂから反射板２３Ｂよりも前方のバッフル２４Ｂの内周面やバッフル開口２４０Ｂへ向かって出射される光が、レンズ部２２２Ｂへ入射される。よって、バッフル２４Ｂの内周面やバッフル開口２４０Ｂに向かう光を低減して、反射板２３Ｂおよびレンズ部２２２Ｂへと向かう光の割合を増加できる。したがって、照明効率および配光性能が向上する。
【００４７】
反射板２３Ｂの設計配光角度は、６°以上１８°以下である。このように、反射板２３Ｂの配光角度が狭角や中角などの比較的小さい配光角度である場合、このように配光を中心に集めることは、特に有用である。
【００４８】
仮に内側接続部４２Ｂが第１直線Ｌ１１Ｂ，Ｌ１２Ｂの径方向内側に配置された場合、光源２１Ｂからバッフル２４Ｂの内周面へと向かう光の一部が、レンズ部２２２Ｂに入射せず、筒部２２１Ｂを介してバッフル２４Ｂの内周面等へ向かう。その場合、照明効率および配光性能が低下する。そこで、内側接続部４２Ｂは、第１直線Ｌ１１Ｂ，Ｌ１２Ｂの近傍であって、第１直線Ｌ１１Ｂ，Ｌ１２Ｂの径方向外側に配置されてもよい。その場合、製造上の寸法誤差があった場合であっても、光源２１Ｂから出射された光を、できるだけ、レンズ部２２２Ｂおよび反射板２３Ｂの内周面３０Ｂへと向かわせることができる。
【００４９】
また、内側接続部４２Ｂは、中心軸９Ｂを通る断面において、交点Ｃ１Ｂ，Ｃ２Ｂ上に配置される。これにより、光源２１Ｂから出射される光のうち、筒部２２１Ｂを通過した光が、反射板２３Ｂの内周面３０Ｂおよびバッフル２４Ｂの内周面のいずれかに当たる。これにより、光源２１Ｂから出射され、筒部２２１Ｂを通過した光が、直接照明装置外へと照射されない。すなわち、グレアレスな照明装置とできる。
【００５０】
内側接続部４２Ｂが交点Ｃ１Ｂ，Ｃ２Ｂの径方向内側に配置された場合、光源２１Ｂから出射される光のうち、筒部２２１Ｂを通過した光の一部が、反射板２３Ｂおよびバッフル２４Ｂに当たることなく、直接照明装置外へと照射される。そこで、内側接続部４２Ｂは、交点Ｃ１Ｂ，Ｃ２Ｂの近傍であって、交点Ｃ１Ｂ，Ｃ２Ｂの径方向外側に配置されてもよい。その場合、製造上の寸法誤差があった場合であっても、光源２１Ｂから出射され、筒部２２１Ｂを通過した光が、直接照明装置外へと照射されるのが抑制される。
【００５１】
＜４．変形例＞
以上、本発明の主たる実施形態について説明したが、本発明は、上記の実施形態に限定されるものではない。
【００５２】
上記の実施形態では、照明装置がレンズ部を備えた光学部材を有していたが、本発明はこれに限られない。光源から出射される光が、光学部材を介さずに反射板に入射されてもよい。
【００５３】
また、上記の実施形態では、照明装置が天井に対して回動可能に固定されたが、本発明はこれに限られない。本発明の照明装置は、天井に対して回動不可能に固定されてもよいし、壁等の天井以外の構造物に対して固定されてもよい。また、本発明の照明装置は、本体部がスタンドに固定されるものであってもよい。
【００５４】
また、上記の実施形態では、光源であるＬＥＤ光源が反射板の後端部よりも後側に配置されているが、反射板で囲まれた空間の内部に配置してもよい。
【００５５】
また、上記の実施形態では、光源としてＣＯＢ型のＬＥＤ光源を用いているが、本発明はこれに限られず、例えば数ミリ角のＳＭＤ（Surface Mount Device）型のＬＥＤを１個または数個用いてもよい。数個のＳＭＤ型ＬＥＤを用いる場合は、その最も外周側に設置されたＬＥＤの中心軸から離れた発光領域の端部を「径方向一方側端部」「径方向他方側端部」とすればよい。
【００５６】
また、上記の実施形態では、光学部材における筒部は、光軸を含む面による断面形状が、直線状或いは１種類のなだらかなカーブを有していたが、複数種類の異なる傾きのカーブを有することとしてもよい。光学部材における筒部を、光軸を含む面による断面形状が、直線状或いは１種類のなだらかなカーブとした場合、この筒部に入射する光が全反射して予期せぬ方向へ飛ぶ場合があり得る。筒部の断面形状を直線状或いは１種類のなだらかなカーブとすることで、筒部に入射する光を、予期せぬ方向へ全反射させずに、下方向へ反射するように制御することができる。
【００５７】
また、上記の各実施形態や変形例に登場した各要素を、矛盾が生じない範囲で、任意に組み合わせてもよい。
【００５８】
＜５．発明の抽出＞
上記の実施形態および変形例から抽出される発明として、例えば、以下の発明を挙げることができる。
【００５９】
第１発明は、光源と、前記光源の発光領域の近傍に配置される後端部から前端部の開口へ向かうにつれて拡径するドーム状の内周面を有する反射板と、少なくとも一部が前記光源の前側に配置され、かつ、少なくとも一部が前記反射板の内側に配置される光学部材と、を有し、前記光学部材は、前側へ向かうにつれて縮径する筒部と、前記筒部の前側を覆うレンズ部と、を有し、前記筒部の内周面と前記レンズ部の後面との境界部である内側接続部は、前記光源の光軸を通る断面において、前記光源の発光領域の径方向一方側端部および前記開口の径方向他方側端部を結ぶ第１直線上、または、前記第１直線の近傍であって前記第１直線よりも径方向外側に配置される、照明装置である。
【００６０】
第２発明は、第１発明の照明装置であって、前記反射板の前側に配置される円筒状のバッフルをさらに有し、前記内側接続部は、前記光軸を通る断面において、前記光源の発光領域の径方向他方側端部および前記バッフルの前側かつ径方向他方側端部を結ぶ第２直線と前記第１直線との交点上、または、前記交点の近傍であって前記交点よりも径方向外側に配置される。
【００６１】
第３発明は、第１発明または第２発明の照明装置であって、前記反射板の設計配光角度は、６°以上１８°以下である。
【００６２】
第４発明は、光源と、前記光源の近傍に配置される後端部から前端部の開口へ向かって拡径するドーム状の内周面を有する反射板と、前記反射板の前側に配置される円筒状のバッフルと、少なくとも一部が前記光源の前側に配置され、かつ、少なくとも一部が前記反射板の径方向内側に配置される光学部材と、前記光学部材は、前側へ向かうにつれて縮径する筒部と、前記筒部の前側を覆うレンズ部と、を有し、前記筒部の外周面と前記レンズ部の前面との境界部である外側接続部は、前記光源の光軸を通る断面において、前記光源の発光領域の径方向一方側端部および前記開口の径方向他方側端部を結ぶ第１直線と、前記光源の発光領域の径方向他方側端部および前記バッフルの前側かつ径方向他方側端部を結ぶ第２直線との交点上、または、前記交点の近傍であって前記交点よりも径方向外側に配置される、照明装置である。
【００６３】
第５発明は、第４発明の照明装置であって、前記反射板の設計配光角度は、２５°以上５０°以下である。
【００６４】
第６発明は、光源と、前記光源の近傍に配置される後端部から前端部の開口へ向かって拡径するドーム状の内周面を有する反射板と、前記反射板の前側に配置される円筒状のバッフルと、少なくとも一部が前記光源の前側に配置され、かつ、少なくとも一部が前記反射板の径方向内側に配置される光学部材と、前記光学部材は、前側へ向かうにつれて縮径する筒部と、前記筒部の前側を覆うレンズ部と、を有し、前記筒部の内周面は、前記筒部の中心軸に対する角度が第１角度である第１内周面と、前記筒部の内周面と前記レンズ部の後面との境界部である内側接続部と前記第１内周面との間に配置され、前記中心軸に対する角度が前記第１角度よりも大きい第２角度である第２内周面と、を含む、照明装置である。
【００６５】
第７発明は、第６発明の照明装置であって、前記第２角度は、１０°以上２０°以下である。
【００６６】
第８発明は、光源と、前記光源の近傍に配置される後端部から前端部の開口へ向かって拡径するドーム状の内周面を有する反射板と、少なくとも一部が前記光源の前側に配置され、かつ、少なくとも一部が前記反射板の径方向内側に配置される光学部材と、前記光学部材は、前側へ向かうにつれて縮径する筒部と、前記筒部の前側を覆うレンズ部と、内縁部が前記筒部の後端部と繋がり、前記光源の前側において前記光源の光軸に対して略垂直に配置される板状かつ環状の板部と、を有し、前記筒部の内周面と前記板部の後面との境界部である後側接続部は、前記光軸を通る断面において、曲線状である、照明装置である。
【００６７】
第９発明は、第８発明の照明装置であって、前記後側接続部の前記光軸を通る断面における曲率半径は、１.５ｍｍ以上２ｍｍ以下である。
【００６８】
第１発明〜第７発明によれば、所望の配光を得られる照明装置が得られる。
【００６９】
特に、第１発明によれば、光源から出射した光のうち、反射板へ向かう光の割合を増加できる。これにより、配光をより中心に集めることができる。すなわち、軸光度を向上できる。また、光源から出射した光のうち、レンズ部および反射板へと向かう光の割合を増加できる。したがって、照明効率および配光性能が向上する。
【００７０】
特に、第２発明によれば、筒部を通過した光が、直接照明装置外へと照射されない。すなわち、グレアレスな照明装置とできる。
【００７１】
特に、第４発明によれば、光源から出射され、筒部を通った光のうち、反射板へと向かう光の割合を向上できる。これにより、照明効率および配光性能を向上できる。
【００７２】
特に、第６発明によれば、筒部の内周面の前端部付近において光源から入射した光が反射するのが予期せぬ方向へと向かうのが抑制される。これにより、配光性能が低下するのを抑制できる。
【００７３】
特に、第８発明によれば、光源から後側接続部付近へと入射した光が後方へ反射するのが抑制される。したがって、照明効率が向上する。
【符号の説明】
【００７４】
１  照明装置
９，９Ａ，９Ｂ  中心軸
１０，１０Ａ，１０Ｂ，１０Ｃ，１０Ｄ  照明部
２１，２１Ａ，２１Ｂ，２１Ｃ，２１Ｄ  光源
２２，２２Ａ，２２Ｂ  光学部材
２３，２３Ａ，２３Ｂ  反射板
２４，２４Ａ，２４Ｂ  バッフル
３０，３０Ａ，３０Ｂ  内周面
４１Ａ  外側接続部
４２Ａ，４２Ｂ  内側接続部
４３Ａ，４３Ｄ  後側接続部
５０Ａ，５０Ｃ  筒部内周面
５１Ａ  第１内周面
５２Ａ  第２内周面
２２１，２２１Ａ，２２１Ｂ，２２１Ｃ  筒部
２２２，２２２Ａ，２２２Ｂ，２２２Ｃ  レンズ部
２２３，２２３Ａ  円環部
２２４  ベース部
２３０，２３０Ａ，２３０Ｂ  反射板開口
２４０，２４０Ａ，２４０Ｂ  バッフル開口
Ｃ１Ａ，Ｃ１Ｂ  交点
Ｃ２Ａ，Ｃ２Ｂ  交点
Ｌ１１Ａ，Ｌ１２Ａ，Ｌ１１Ｂ，Ｌ１２Ｂ  第１直線
Ｌ２１Ａ，Ｌ２２Ａ，Ｌ２１Ｂ，Ｌ２２Ｂ  第２直線
【図１】
2019016569.tif 000003
【図２】
2019016569.tif 000004
【図３】
2019016569.tif 000005
【図４】
2019016569.tif 000006
【図５】
2019016569.tif 000007
【図６】
2019016569.tif 000008
【図７】
2019016569.tif 000009
【図８】
2019016569.tif 000010
【図９】
2019016569.tif 000011